(57)【要約】【課題】本発明はリンク式クロ−ラの連結部材の改良に係るものであり、クロ−ラの製造工程にあって、より効率的な分割型連結部材を提供する。【解決手段】クロ−ラ内に隣り合って配置される芯金の翼部を連結するリンク式クロ−ラの連結部材であって、前後の翼部をクロ−ラの内側及び外側より囲む半裁筒部とこれを繋ぐ連結部からなり、連結部は中央にて上下に傾斜面を形成し、かつ、かかる傾斜面を幅方向より半分以上の切欠部を形成した分割リンクを一対用い、前記半裁筒部に芯金の翼部を納めつつ当該切欠部を相互に嵌め合わせ、水平部を接触させた。１、２‥半裁筒部、３‥連結部、３ａ、３ｂ‥水平部、６‥傾斜面、７‥切欠部、８‥楔穴、９‥楔、Ｐ、Ｑ‥分割リンク。【選択図】図７
2006335327.tif 000002
【特許請求の範囲】
【請求項１】
クロ−ラ内に隣り合って配置される芯金の翼部を連結するリンク式クロ−ラの連結部材であって、前後の翼部をクロ−ラの内側及び外側より囲む半裁筒部とこれを繋ぐ連結部からなり、連結部は左右の水平部と中央の傾斜面とからなり、かつ、かかる傾斜面を幅方向より半分以上の切欠部を形成した分割リンクを一対用い、前記半裁筒部に芯金の翼部を納めつつ水平部が重なり合うように当該切欠部を相互に嵌め合わせたことを特徴とするリンク式クロ−ラの連結部材。
【請求項２】
半裁筒部の一方端縁に凹部を形成し、他方端縁にこの凹部に嵌合する凸部を形成し、両者が嵌合された請求項１記載のリンク式クロ−ラの連結部材。
【請求項３】
連結部が重なり合う部位に固着手段を備えた請求項１又は２記載のリンク式クロ−ラの連結部材。
【請求項４】
固着手段が楔である請求項１乃至３いずれか１記載のリンク式クロ−ラの連結部材。
【発明の詳細な説明】
【技術分野】
【０００１】
本発明はゴム中にて隣合う芯金を連結するリンク式クロ−ラに関し、特に、連結時の作業性を改良した連結部材を提供するものである。
【背景技術】
【０００２】
本出願人は、クロ−ラの芯金の翼部を断面ほぼ円形の棒状の翼部となし、この棒状翼部を楕円環状部材やＣ型部材等の連結部材をもって連結するクロ−ラを提供した（特許文献１、２）。
【０００３】
【特許文献１】特開２００４−００１５９５号公報
【０００４】
【特許文献１】特開２００４−３５９０５５号公報
【０００５】
図１及び図２はゴム部を取り除いた芯金及び連結部材の一例を示すものであり、芯金の翼部を一本或いは２本の棒状翼部となし、隣り合う翼部に対し左右の幅方向より連結部材を挿入してなるものである。即ち、図１は芯金ａ１ に一本の棒状の翼部ｂ１ を形成し、これに二つの連結部材ｃ１ 、ｃ１ を嵌め込む構造であり、図２は芯金ａ２ に二本の棒状の翼部ｂ２ 、ｂ３ を形成し、夫々の翼部に一つの連結部材ｃ２ を嵌め込んだ例を示すものである。
【０００６】
図１にあって、（Ａ）は平面図、（Ｂ）はｘ−ｘ線切断端面図であり、連結部材ｃ１ は環状体であって、このため、翼部ｂ１ に対してその左右側方より嵌め込むことになる。従って、組立時の作業スペ−スが大きく必要となり、かつ芯金ａ１ の翼部ｂ１ の設計の自由度が少なくなる。
【０００７】
図２にあって、（Ａ）は平面図、（Ｂ）はｙ−ｙ線切断端面図であり、芯金ａ２ の翼部ｂに閉鎖空間ｄを形成し、その前後を棒状翼部ｂ２ 、ｂ３ としたものであり、隣り合う芯金ａ２ 、ａ２ の前後を棒状翼部ｂ２ 、ｂ３ にＣ型の連結部材ｃ２ 、ｃ２ を嵌め込む構造である。しかるに、図２の場合、連結部材ｃ２ はＣ型部材であって、このため、棒状翼部ｂ２ 、ｂ３ に引っ掛けて連結するが、引っ掛けるための余計な長さが必要なためショ−トピッチのクロ−ラには不向きであり、更に、上下が非対称なため余計な曲げが掛り連結部材ｃ２ の厚みが厚くなってしまうという欠点がある。
【発明の開示】
【発明が解決しようとする課題】
【０００８】
本発明はリンク式クロ−ラの連結部材の改良に係るものであり、クロ−ラの製造工程にあって、より効率的な連結部材を提供することを目的とするものである。
【課題を解決するための手段】
【０００９】
本発明の要旨は、クロ−ラ内に隣り合って配置される芯金の翼部を連結するリンク式クロ−ラの連結部材であって、前後の翼部をクロ−ラの内側及び外側より囲む半裁筒部とこれを繋ぐ連結部からなり、連結部は左右の水平部と中央の傾斜面とからなり、かつ、かかる傾斜面を幅方向より半分以上の切欠部を形成した分割リンクを一対用い、前記半裁筒部に芯金の翼部を納めつつ水平部が重なり合うように当該切欠部を相互に嵌め合わせたリンク式クロ−ラの連結部材である。
【発明の効果】
【００１０】
本発明の連結部材を使用することにより、製造作業時において連結部材を芯金の左右幅方向より嵌め込む工程がなくなり、全て芯金の幅内にて作業ができることとなったもので、作業上は勿論であるが、作業スぺ−ス的にも大きなメリットとなる。又、芯金にあっても無駄な部位がなくなり、ショ−トピッチのクロ−ラにも適用可能となった。更に、芯金の形状の設計の自由度が大きくなり、Ｃ型連結部材のような引っ掛けのための余分な部位がなくなるので軽量化も確保されるものとなった。
【発明を実施するための最良の形態】
【００１１】
本発明の連結部材は上記の構成となっており、隣り合う芯金の翼部をかかる連結部材にて上下で組み合わせることで連結が可能となったものである。しかも、単に上下に二つ割りした分割リンクではなく、一対として用いた際にはこれがそのまま連結することを可能としたものであり、特にクロ−ラの製造の際の作業上のメリットは極めて大きいものとなった。
【００１２】
本発明における分割リンクは金属製が好ましいことは勿論であるが、場合によっては、例えばいわゆるエンプラと称される樹脂製のものであってもよく、この場合には、分割リンクの製造がモ−ルド成形でき、かつ、軽量化の点で大きなメリットがある。
【００１３】
芯金の翼部と半裁筒部（完成された連結部材にあっては完全な筒部）とは、クロ−ラのスプロケットやアイドラ−との巻き掛けによって回動可能とするものであり、半裁筒部の内周面はほぼ完全な円筒内面であるのがよく、場合によっては連結部側にやや隙間が形成されたものであってもよい。
【００１４】
連結部は前記の半裁筒部を繋ぐものであり、左右に水平部をそしてその中央に傾斜面が形成されている。かかる傾斜面は組み合わされる一対の分割リンクの連結部が交差する部位であり、一方が内側へ他方が外側へ配置されることとなる。かかる連結部が交差することが可能とするために連結部の傾斜面を幅方向より半分以上の切欠部を形成したものであり、この切欠部を相互に嵌め合わせて連結部材が完成することとなる。そして、相互の水平部は重なり合うように嵌め合わせたものであり、これによって強度のアップが図られることとなる。
【００１５】
尚、芯金はクロ−ラが実際の使用に供された際には、捩じれ力が働くこととなり、突き合わされた半裁筒部にズレを生じるような力が働くことがあるが、これを阻止するため、半裁筒部の端縁に相互に嵌り合い可能な凹凸部を形成しておくのが好ましい。
【００１６】
更に、連結部の上下の重なり合い部分に、任意の固着手段が備えられているのが好ましく、例えば、ボルト穴を形成してボルトを螺合するとか、リベット等にて固着するとか、楔を打ち込むとかの手段が採用できる。
【００１７】
勿論、これらの各構成を備えた連結部材が最も好適であることは言うまでもない。
【実施例】
【００１８】
以下、本発明を実施例をもって更に詳細に説明する。図３は本発明の分割リンクを示す平面図、図４は正面図、図５は右側面図、図６は左側面図である。
【００１９】
図中、１、２は半裁筒部であり、３はこれらを繋ぐ連結部である。半裁筒部１、２にあって、その内面形状は図示しない芯金の棒状翼部の外径Ａ０ よりもやや大きい径Ａを有している。そして、半裁筒部１、２の長さＢは、芯金の棒状翼部の長さＢ０ よりやや短い長さを有している。尚、半裁筒部１、２の一方端縁に凹部４を形成し、他方端縁にこの凹部に嵌合する凸部５を形成したもので、後述するように一対の分割リンクが突き合わされた際に嵌合するものである。
【００２０】
連結部３は幅方向の長さを半裁筒部１、２の長さＢと同じだけの幅長Ｂとしたものであり、又、連結部３の前後方向の長さはクロ−ラのピッチによって変わってくることは言うまでもない。そして、連結部３の左右は水平部３ａ、３ｂとされたものでその中央に傾斜面６が形成されたものである。この傾斜面６にあって、幅方向中央部に達する切欠部７が形成され、この部位が嵌め合わされ、水平部３ａ、３ｂは重なり合うことになる。尚、符号８で示すものは一対の分割リンクを嵌め合わせた際に両者を固着するに際にて使用する楔穴である。
【００２１】
図７は上記の分割リンクを一対（Ｐ、Ｑ）用いて形成した連結部材の斜視部である。図でも分かるように、分割リンクの一方（この例ではＱ）を逆にして固着するものであり、分割リンクＰ（Ｑ）の半裁筒部１と分割リンクＱ（Ｐ）の半裁筒部２とをもって翼部を囲む部位としたものである。半裁筒部１、２は突き合わされ、しかもその先端縁部に形成した凹凸部４、５が嵌合して芯金の翼部を支持するものである。
【００２２】
そして、連結部３にあっては、両者の切欠部７、７を相互に嵌合させてリンクが完成するものであり、側面視で言えば、両者の傾斜面６、６がクロスしてなる構造であり、水平部３ａ、３ｂはその対向面が接触した状態で嵌合が完成するものである。
【００２３】
尚、両者の連結をより確実にするために、この例では水平部３ａ、３ｂに穿った楔穴８内に例えば金属製の楔９を打ち込んで両者の固着を確実なものとしている。
【産業上の利用可能性】
【００２４】
本発明は、リンク式クロ−ラの連結部材を、同じ構造のものを上下で組み合わせることにより完成した連結部材とするものである。このことにより、従来の楕円形のリンクと異なり、幅方向からの作業がなく、作業スぺ−スが少なくて済み、かつ、芯金の形状の自由度が高くできる。このことにより、これまで解決できなかった脱輪性や製造工数等の問題を大幅に改善できる。更に、Ｃ型リンクのように引っ掛けたりする必要がないので、よけいな長さが必要でなく、ショ−トピッチのクロ−ラにも採用可能である。
【図面の簡単な説明】
【００２５】
【図１】図１は従来のリンク式クロ−ラの概略を示す芯金及び連結部材である。
【図２】図２は従来の別のリンク式クロ−ラの概略を示す芯金及び連結部材である。
【図３】図３は本発明の分割リンクを示す平面図である。
【図４】図４は図３の分割リンクの正面図である。
【図５】図５は図３の分割リンクの右側面図である。
【図６】図６は図３の分割リンクの左側面図である。
【図７】図７は本発明の連結部材の斜視部である。
【符号の説明】
【００２６】
１、２‥半裁筒部、
３‥連結部、
３ａ、３ｂ‥水平部、                                                            ４‥凹部、
５‥凸部、
６‥傾斜面、
７‥切欠部、
８‥楔穴
９‥楔、
Ｐ、Ｑ‥分割リンク。
【図１】
2006335327.tif 000003
【図２】
2006335327.tif 000004
【図３】
2006335327.tif 000005
【図４】
2006335327.tif 000006
【図５】
2006335327.tif 000007
【図６】
2006335327.tif 000008
【図７】
2006335327.tif 000009